(57)【要約】【課題】ダストケース１５およびゴミ袋３０を装着した状態、ダストケース１５のみを装着した状態、またはゴミ袋３０のみを装着した状態のいずれの状態でも、良好に使用できる電気掃除機１が求められていた。【解決手段】集塵室カバー６を閉じたときに、集塵室５の開放面周縁１６およびダストケース１５の開放面周縁１７の双方に接することができ、これら各開放面周縁１６、１７と集塵室カバー６との間を気密的に封鎖するためのシールパッキン１９を設ける。また、ゴミ袋３０の口紙３１と集塵室カバー６との間を気密的に封鎖するためのシールパッキン２５を設ける。【選択図】図１
2008136554.tif 000002
【特許請求の範囲】
【請求項１】
電動送風機が内蔵され、開放面を有する集塵室が区画されている本体ケーシング、
前記本体ケーシングに取り付けられていて、前記集塵室の開放面を閉じた状態および開いた状態に変位可能であり、集塵用の吸い込み口が形成されている集塵室カバー、ならびに、
前記集塵室カバーを開き、集塵室の前記開放面を通じて出し入れ可能であり、集塵室の前記開放面に臨む面が開放された一定形状の箱型をしており、少なくとも所定の面が通気性を有し、かつ、全体が水洗い可能に構成されているダストケース、を有し、
入口が形成された装着用の口板およびその口板に取り付けられた通気性のある袋を有するゴミ袋を、前記ダストケース内に配置するように装着可能な電気掃除機において、
前記集塵室カバーを閉じたときに、前記集塵室の開放面周縁および前記集塵室に収容された前記ダストケースの開放面周縁の双方に接することができ、前記集塵室の開放面周縁および前記ダストケースの開放面周縁の双方と前記集塵室カバーとの間を気密的に封鎖するための周縁部シール手段と、
前記ゴミ袋の口板と前記集塵室カバーとの間を気密的に封鎖するための中央部シール手段と、
が備えられていることを特徴とする電気掃除機。
【請求項２】
前記集塵室の開放面を覆う内カバーが備えられ、
前記周縁部シール手段は、前記内カバーに設けられていることを特徴とする、請求項１記載の電気掃除機。
【請求項３】
前記集塵室カバーに形成された前記吸い込み口には、吸い込みパイプの一端が挿入可能になっており、
前記中央部シール手段は、挿入された吸い込みパイプの一端の外周面と前記吸い込み口との間を気密的に封鎖するためのパイプ用シールを含むことを特徴とする、請求項１または２記載の電気掃除機。
【請求項４】
前記中央部シール手段は、前記パイプ用シールと一体的に形成され、吸い込みパイプの一端が挿入されていないときには、前記吸い込み口を塞ぐ弾性の閉鎖片を有することを特徴とする、請求項３記載の電気掃除機。
【請求項５】
前記集塵室には、前記集塵室カバーの開閉に連動し、前記集塵室カバーが開いたときに、集塵室に収容されているダストケースを取り出し易いように前記開放面側へ持ち上げるための取り出し補助手段が設けられていることを特徴とする、請求項１〜４のいずれかに記載の電気掃除機。
【請求項６】
前記取り出し補助手段は、前記集塵室の内底面側に設けられた持ち上げ部材と、
前記持ち上げ部材と前記集塵室カバーとの間を連結するリンク部材とを含むことを特徴とする請求項５記載の電気掃除機。
【請求項７】
前記取り出し補助手段は、前記集塵室に収容されるダストケースに対し、常時、開放面側へ付勢力を与える弾力付勢手段を含むことを特徴とする、請求項５記載の電気掃除機。    
【請求項８】
前記集塵室カバーおよび内カバーは、前記集塵室内を外側から可視できるように、全体が透明材で形成されていることを特徴とする、請求項１〜７のいずれかに記載の電気掃除機。
【発明の詳細な説明】
【技術分野】
【０００１】
この発明は、電気掃除機に関し、特に、ゴミ袋を装着可能であり、塵挨をゴミ袋に溜めることのできる電気掃除機に関する。
【背景技術】
【０００２】
従来の電気掃除機には、吸引した塵挨を溜めるための容器として、一般に紙パックと称されるゴミ袋を用いるものが種々提案されている。
たとえば、特許文献１には、紙パックと、紙パックを装着するための着脱可能なバスケットとを有する電気掃除機が提案されている。
特許文献２には、紙パックがなくなった場合に、簡易ダストボックスを装着できる電気掃除機が提案されている。
【０００３】
特許文献３には、紙パックを装着したり、紙パックの代わりにサイクロン集塵方式の集塵容器を装着できる電気掃除機が提案されている。
【特許文献１】特開２０００−０７０１９６号公報
【特許文献２】特開２００５−２２４３９１号公報
【特許文献３】特開２００６−０４３２０３号公報
【発明の開示】
【発明が解決しようとする課題】
【０００４】
従来提案されている電気掃除機には、たとえば特許文献１に記載のように、紙パックを装着するためのバスケットが着脱自在であって、バスケット内に紙パックが装着できるものはあるが、紙パックを装着せず、バスケットのみによって塵挨を溜めたり、バスケットを装着せず、紙パックのみによって塵挨を溜めたりすることはできない。
また、特許文献２や特許文献３に記載の電気掃除機においては、塵挨を溜めるための紙パックや、簡易ダストボックスや、サイクロン集塵方式の集塵容器等は、電気掃除機を動作させる際に必ず装着しておかなければならず、これら紙パック、簡易ダストボックス、またはサイクロン集塵方式の集塵容器等を装着しないまま動作させることはできない構成である。
【０００５】
ところで、紙パックは、溜まった塵挨を捨てる際には、紙パックごと塵挨を捨てることができ、その後に、新しい紙パックを装着して使用するので、塵挨の扱いを衛生的にできる。このため、紙パックを装着する電気掃除機は広く普及している。
紙パックは、電気掃除機における消耗品であり、たとえば日本国内であれば、コンビニ等で容易に手に入れることができる。しかし、たとえば東南アジア等においては、紙パックが容易に手に入らない地域がある。そのような地域では、予備の紙パックがなくなった場合に、紙パックを装着せずに動作可能な電気掃除機が望まれている。
【０００６】
一方、電気掃除機のメーカーとしては、国や電気掃除機に対する要求が異なる場合であっても、同じ基本設計の電気掃除機で対応することができれば、電気掃除機の設計および生産の効率化を図ることができ、好ましい。
この発明は、このような背景のもとになされたもので、電気掃除機の集塵部の構造に工夫をすることにより、ダストケースおよびゴミ袋を装着した状態、ダストケースのみを装着した状態、またはゴミ袋のみを装着した状態で、いずれも良好に使用できる電気掃除機を提供することを主たる目的とする。
【０００７】
この発明は、また、集塵部に、ダストケースと、ダストケース内に配置されるゴミ袋等を備えた電気掃除機において、集塵部からの空気漏れや塵挨の漏れがなく、良好に使用可能な電気掃除機を提供することを他の目的とする。
さらにこの発明は、集塵部にダストケースを有する電気掃除機において、ダストケースの着脱がし易いように改良された電気掃除機を提供することを他の目的とする。
【課題を解決するための手段】
【０００８】
請求項１記載の発明は、電動送風機が内蔵され、開放面を有する集塵室が区画されている本体ケーシング、前記本体ケーシングに取り付けられていて、前記集塵室の開放面を閉じた状態および開いた状態に変位可能であり、集塵用の吸い込み口が形成されている集塵室カバー、ならびに、前記集塵室カバーを開き、集塵室の前記開放面を通じて出し入れ可能であり、集塵室の前記開放面に臨む面が開放された一定形状の箱型をしており、少なくとも所定の面が通気性を有し、かつ、全体が水洗い可能に構成されているダストケース、を有し、入口が形成された装着用の口板およびその口板に取り付けられた通気性のある袋を有するゴミ袋を、前記ダストケース内に配置するように装着可能な電気掃除機において、前記集塵室カバーを閉じたときに、前記集塵室の開放面周縁および前記集塵室に収容された前記ダストケースの開放面周縁の双方に接することができ、前記集塵室の開放面周縁および前記ダストケースの開放面周縁の双方と前記集塵室カバーとの間を気密的に封鎖するための周縁部シール手段と、前記ゴミ袋の口板と前記集塵室カバーとの間を気密的に封鎖するための中央部シール手段と、が備えられていることを特徴とする電気掃除機である。
【０００９】
請求項２記載の発明は、前記集塵室の開放面を覆う内カバーが備えられ、前記周縁部シール手段は、前記内カバーに設けられていることを特徴とする、請求項１記載の電気掃除機である。
請求項３記載の発明は、前記集塵室カバーに形成された前記吸い込み口には、吸い込みパイプの一端が挿入可能になっており、前記中央部シール手段は、挿入された吸い込みパイプの一端の外周面と前記吸い込み口との間を気密的に封鎖するためのパイプ用シールを含むことを特徴とする、請求項１または２記載の電気掃除機である。
【００１０】
請求項４記載の発明は、前記中央部シール手段は、前記パイプ用シールと一体的に形成され、吸い込みパイプの一端が挿入されていないときには、前記吸い込み口を塞ぐ弾性の閉鎖片を有することを特徴とする、請求項３記載の電気掃除機である。
請求項５記載の発明は、前記集塵室には、前記集塵室カバーの開閉に連動し、前記集塵室カバーが開いたときに、集塵室に収容されているダストケースを取り出し易いように前記開放面側へ持ち上げるための取り出し補助手段が設けられていることを特徴とする、請求項１〜４のいずれかに記載の電気掃除機である。
【００１１】
請求項６記載の発明は、前記取り出し補助手段は、前記集塵室の内底面側に設けられた持ち上げ部材と、前記持ち上げ部材と前記集塵室カバーとの間を連結するリンク部材とを含むことを特徴とする請求項５記載の電気掃除機である。
請求項７記載の発明は、前記取り出し補助手段は、前記集塵室に収容されるダストケースに対し、常時、開放面側へ付勢力を与える弾力付勢手段を含むことを特徴とする、請求項５記載の電気掃除機である。
【００１２】
請求項８記載の発明は、前記集塵室カバーおよび内カバーは、前記集塵室内を外側から可視できるように、全体が透明材で形成されていることを特徴とする、請求項１〜７のいずれかに記載の電気掃除機である。
【発明の効果】
【００１３】
請求項１記載の発明では、本体ケーシングに区画された集塵室の開放面は、集塵室カバーにより開閉される。集塵室カバーを開くと、集塵室の開放面を通じて集塵室内のダストケースを出し入れできる。また、ダストケース内に配置するように、ゴミ袋を装着できる。ゴミ袋は、たとえば紙パックを例示できるが、紙パックに限らず、布製の袋（いわゆる布フィルタ）であってもよい。
【００１４】
請求項１記載の発明では、集塵室カバーを閉じたとき、周縁部シール手段によって、集塵室の開放面周縁と集塵室カバーとの間、および、ダストケースの開放面周縁と集塵室カバーとの間は、いずれも、気密的に封鎖可能になっている。このため、ダストケースが収容された状態で運転されても、あるいは、ダストケースが取り外された状態で運転されても、集塵室の開放面周縁から空気や塵挨が本体ケーシングの外部へ漏れ出ることはなく、ダストケースが収容されているか否かに拘らず、良好に集塵室内へ空気や塵挨を吸引することができる。
【００１５】
また、ゴミ袋が装着されているときには、中央部シール手段によりゴミ袋の口板と集塵室カバーとの間が気密的に封鎖されるため、ゴミ袋の口板と集塵室カバーとの間から、空気や塵挨が機外へ漏れ出すことはない。よって、ゴミ袋が装着されているか否かにかかわらず、電気掃除機による集塵動作を良好に行うことができる。
請求項２記載の発明では、集塵室カバーの内面側に配置される内カバーが備えられており、しかも内カバーに周縁部シール手段が設けられているから、内カバーを集塵室および集塵室に収容されたダストケースの各開放面に装着することにより、確実に、かつ容易に、集塵室の開放面周縁およびダストケースの開放面周縁の双方を気密的に封鎖することができる。
【００１６】
なお、中央部シール手段は、内カバーに設けられた構成とすることができるし、あるいは集塵室カバーの内面側に設けられた構成とすることも可能である。
請求項３記載の発明によれば、集塵室カバーに形成された吸い込み口に吸い込みパイプの一端が挿入されたときには、吸い込みパイプの一端の外周面と吸い込み口との間がパイプ用シールで封鎖されるため、その部分からの空気漏れ、細かな塵挨の漏れを確実に防止することができる。
【００１７】
請求項４記載の発明では、中央シール手段に、さらに、吸い込み口を塞ぐための閉鎖片が設けられているから、吸い込みパイプの一端が抜き取られたときに、集塵室カバーに形成された吸い込み口から塵挨が外部に飛び出るのを防止することができる。
請求項５記載の発明によれば、ダストケースの取り出し補助手段が設けられており、集塵室カバーを開くことにより、ダストケースが取り出し易くなる。よって、使い勝手が良く、ダストケースに溜まった塵挨等を捨てる作業が容易な電気掃除機とすることができる。
【００１８】
請求項６記載の発明によれば、取り出し補助手段を、持ち上げ部材およびリンク部材というシンプルな構成を用いて実現することができる。
請求項７記載の発明によれば、弾性付勢部材、たとえばコイルばねにより、ダストケースは常に取り出し易い側へ付勢されているから、この構成によっても、取り出し補助手段を安価にかつ容易に構成できる。
【００１９】
請求項８記載の発明によれば、集塵室内を外側から可視できるので、集塵室内に溜まった塵挨の量や集塵室内の様子を確認でき、溜まった塵挨を捨てるタイミング等を容易に知ることができる。
【発明を実施するための最良の形態】
【００２０】
以下には、図面を参照して、この発明の実施形態について具体的に説明をする。
図１は、この発明の一実施形態に係る電気掃除機１の構造を説明するための図解的な縦断面側面図である。
図１を参照して、電気掃除機１には、たとえば樹脂により形成された本体ケーシング２が備えられている。本体ケーシング２内の、たとえば後方側には、電動送風機収容室３が区画されており、この収容室３内に電動送風機４が収容されている。電動送風機収容室３の前方側には集塵室５が区画されている。集塵室５は、その上面が開放面となっていて、上面である開放面は集塵室カバー６で開閉可能に塞がれている。図１は、集塵室カバー６で集塵室５を塞いだ状態、すなわち集塵室カバーが閉じられた状態を表わしている。一方、図２は、集塵室カバー６が開いた状態を表わしている。
【００２１】
図１および図２を参照して、集塵室カバー６は、支軸７を中心に、本体ケーシング２に対して回動可能に取り付けられている。そして、図１および図２において、支軸７を中心に集塵室カバー６を反時計方向に回動させることにより、集塵室５の上面である開放面を閉じることができ、逆に、支軸７を中心に時計方向に、閉じた状態から略９０度回動させることにより、集塵室５の上面を開放することができる。
【００２２】
集塵室カバー６には、たとえばその略中央部に、集塵室カバー６を貫通する吸い込み口８が形成されている。そして吸い込み口８には、吸い込みパイプ９の一端である後端１０が挿入できるようになっている。吸い込みパイプ９の他端である先端側には、一部のみ示した吸い込みホース１１の一端が連結されている。吸い込みパイプ９には、吸い込み口８へ一端１０を挿入した際に、集塵室カバー６と嵌合し、吸い込みパイプ９が挿入された状態を保持するための接続構造１２が設けられており、それに対応した被接続構造１３が集塵室カバー６側に形成されている。
【００２３】
電動送風機４が駆動されると、図示しない吸い込み具から空気とともに塵挨が吸い込まれ、それら空気および塵挨は吸い込みホース１１、吸い込みパイプ９を通って集塵室５に入り、集塵室５において塵挨が捕獲される。そして空気は、電動送風機４の周囲を通り、本体ケーシング２の後面側に形成された排気口１４から本体ケーシング２の外部へ排出される。
【００２４】
このように、集塵室５には吸い込みホース１１および吸い込みパイプ９を通って空気および塵挨が流入する。流入した塵挨を捕獲するため、集塵室５には塵挨捕獲用の部材として、ダストケース１５が収容されるとともに、ダストケース１５内にゴミ袋３０が配置可能にされている。
ダストケース１５は、たとえば上面が開放された略立方体または略直方体状等の箱型であり、４つの側面および底面は、たとえばメッシュ壁とされ、通気性を有している。そして、その箱型の各角部を含む部分は、箱型形状を保つだけの剛性を有するようにフレーム構造とされている。
【００２５】
なお、ダストケース１５は開放された上面から流入した空気が、いずれかの側面または底面から電動送風機収容室３側へ流出できればよく、少なくとも所定の面だけが通気性を有する構成としてもよい。
ダストケース１５は、また、全体が水洗い可能である。このようなダストケースは、たとえば樹脂で一体成形することができるし、あるいは金網と金属枠等で構成することもできる。ダストケース１５は、それ自体が塵挨を捕獲可能な塵挨捕獲フィルタを構成している。
【００２６】
ダストケース１５は、図２に示すように、集塵室カバー６を開いた状態で、集塵室５へ出し入れ可能である。ダストケース１５が集塵室５に収容されたときには、集塵室５の上面である開放面周縁１６に対し、収容されたダストケース１５の開放面周縁１７が、同一の高さとなり、略面一となるように構成されている。
集塵室５の開放面である上面は、内カバー１８で塞ぐことができる。図１におけるＡ部分の拡大図を参照して説明すると、内カバー１８の周縁には、周縁部シール手段としてのシールパッキン１９が嵌合されている。シールパッキン１９は、たとえばゴム製であって、内カバー１８の下面側において、左右に広がる２つのひれ２０、２１を有している。そして、外側のひれ２０は、集塵室５の開放面周縁１６に接し、この開放面周縁１６をシールする。また、内側のひれ２１は、ダストケース１５の開放面周縁１７に接し、ダストケース１５の開放面周縁１７をシールする。
【００２７】
すなわち、周縁部シール手段としてのシールパッキン１９は、集塵室５の開放面周縁１６およびダストケース１５の開放面周縁１７の双方に接することができ、集塵室５の開放面周縁１６およびダストケース１５の開放面周縁１７の双方と、集塵室カバー６との間を気密的に封鎖できるようにされている。
内カバー１８の周縁に嵌合されたシールパッキン１９は、集塵室カバー６が閉じられると、集塵室カバー６の内面側に設けられたリブ２２で押圧され、開放面周縁１６は外側のひれ２０で確実にシールされ、同様に、開放面周縁１７は内側のひれ２１で確実にシールされる。
【００２８】
内カバー１８には、その下面側、すなわちダストケース１５内と対向する面側に、ゴミ袋３０をセットするための装着機構２３が備えられている。より具体的には、ゴミ袋３０は、たとえば紙パックであって、装着用の口紙３１および紙袋３２を有している。口紙３１には、その中央部に入口３３が形成されており、入口３３が吸い込み口８に対応するように内カバー１８に装着される。
【００２９】
図１におけるＢ部分の拡大図に示すように、内カバー１８には、その略中央部に吸い込みパイプの一端１０が挿入可能な孔２４が形成されており、その孔２４には中央部シール手段としてのたとえばゴムで一体形成されたシールパッキン２５が嵌合されている。シールパッキン２５には、口紙３１と内カバー１８との隙間をシールするためのひれ２６および畝２７、吸い込みパイプ９の一端１０の外周面と内カバー１８の孔２４との間をシールするための突起２８、および、吸い込みパイプ９の一端１０を抜き取ったときに、内ケース１８に形成された孔２４を塞ぐための閉鎖片２９を含んでいる。
【００３０】
このシールパッキン２５により、内カバー１８の略中央部に形成された孔２４と吸い込みパイプ９の一端１０との間、および、内カバー１８と口紙３１との間が、それぞれ気密的に封鎖されるので、吸い込みパイプ９を通って集塵室５内へ流入する空気および塵挨が、内カバー１８に形成された孔２４から機外へ漏れ出すおそれはない。
シールパッキン２５は、上述したように、たとえばゴムで一体的に成形されており、その製造が容易に行え、かつ、シール性の高いものとすることができる。
【００３１】
集塵室５の開放面である上面には、上述した内カバー１８が被せられ、内カバー１８には周縁部シール手段としてのシールパッキン１９および中央部シール手段としてのシールパッキン２５が設けられている。このため、電気掃除機１は、図１および図２に示すように、集塵室５内にダストケース１５を収容し、さらに、ダストケース１５内にゴミ袋３０を配置するという構造によって使用することができるほか、図３に示すように、ゴミ袋３０を装着しないで使用することができるし、または、図４に示すように、ダストケース１５を取り外し、ゴミ袋３０だけを装着して使用することも可能である。
【００３２】
図３に示す使用状態において、ダストケース１５内の空気および塵挨は、その開放面周縁１７から機外に漏れ出すことはない。シールパッキン１９によって開放面周縁１７は気密的に塞がれているからである。また、内カバー１８の略中央に形成された孔２４と吸い込みパイプ９の一端１０との間は、シールパッキン２５の突起２８で気密的に塞がれているので、孔２４を通ってダストケース１５内の空気や塵挨が機外に漏れることもない。
【００３３】
図４に示す使用状態では、ダストケース１５が取り外されているが、シールパッキン１９のひれ２０によって、集塵室５の開放面周縁１６が気密的に塞がれている。従って、この場合も、集塵室５内の空気が開放面周縁１６から機外へ漏れることはない。
図５は、図１で説明した構成において、ダストケース１５およびシールパッキン１９の変形例を表わす図である。
【００３４】
図５に示す構成の特徴は、ダストケース１５の開放面周縁１７が、集塵室５の開放面周縁１６よりも一段高くなるように構成されていることである。ダストケース１５の開放面周縁１７を、図５に示すように、集塵室５の開放面周縁１６よりも一段高くした場合、集塵室カバー６を開き、集塵室５からダストケース１５を取り出す際に、ダストケース１５が取り出し易いという利点がある。
【００３５】
この場合において、シールパッキン１９によって、集塵室５の開放面周縁１６およびダストケース１５の開放面周縁１７の双方が確実に気密的に塞がれるように、シールパッキン１９の構成が工夫されている。
図５のＡ部分の拡大図を参照して、内カバー１８の周縁部は、水平方向から下方へ折り曲げられた構成となっていて、ここにシールパッキン１９が嵌合されている。そしてシールパッキン１９に備えられた外側のひれ２０および内側のひれ２１は、それぞれ、集塵室５の開放面周縁１６およびダストケース１５の開放面周縁１７と圧接可能になっている。      
【００３６】
かかる構成とすることによって、集塵室５の開放面周縁１６とダストケース１５の開放面周縁１７との高さに違いがあっても、両開放面周縁１６、１７を確実に気密的にシールすることができる。
その余の構成は、図１と同様であり、同一部分には同一番号を付して、重複した説明は省略する。
【００３７】
図６は、この発明の他の実施形態に係る電気掃除機６０の構成を説明するための図解的な縦断面側面図である。図６に示す構成において、図１と同一の構成には、同一番号が付されている。
図６に示す電気掃除機６０の特徴は、集塵室５内に収容されたダストケース１５を取り出す際に、ダストケース１５の取り出し補助手段としての持ち上げ機構６１が設けられていることである。
【００３８】
持ち上げ機構６１は、集塵室５の底面沿いに延び、集塵室５内に収容されるダストケース１５の下方に位置するフォーク部６２と、フォーク部６２に連設され、垂直上方に延びるアーム部６３とを有する逆Ｌ字状の部材と、アーム部６３の上端を集塵室カバー６に連結するために、集塵室カバー６に設けられた長孔６４とを含んでいる。フォーク部６２およびアーム部６３は、たとえば金属線またはプラスチック材料で形成することが可能である。
【００３９】
このような構成において、図６の状態から、図７に示すように、集塵室カバー６を開けると、集塵室カバー６を開ける動作に伴い、長孔６４を介してアーム部６３が上方へ持ち上げられ、アーム部６３の下方に連設されたフォーク部６２がダストケース１５を上方へ持ち上げる。これにより、ダストケース１５を集塵室５から取り出すときに、その取り出し易さが格段に向上する。
【００４０】
持ち上げ機構６１の構成は、図６および図７に示す構成に限られるものではなく、少なくとも集塵室５の内底面に配置される持ち上げ部材と、その持ち上げ部材と集塵室カバーとの間を連結するリンク部材とを有し、集塵室カバー６の開閉に連動して、持ち上げ部材が上下動する構成であればよい。
なお、図７に示すように、この実施形態では、集塵室カバー６に形成された吸い込み口８と吸い込み口８に挿入された吸い込みパイプ９の一端１０との間を気密的にシールする中央部シール手段としてのシールパッキン２５は、内カバー１８に設けられておらず、集塵室カバー６の内面側に設けられた例が示されている。
【００４１】
この実施例のように、中央部シール手段としてのシールパッキン２５は、内カバー１８に設けるのに代えて、集塵室カバー６の吸い込み口８に関連して、集塵室カバー６の内面側に嵌合された構成としてもよい。
図８および図９は、ダストケース１５の取り出し補助手段の他の構成例を示す図である。図８および図９に示す取り出し補助手段は、集塵室５の底面５１に配列された複数個、たとえば４個のコイルばね５２を有している。コイルばね５２は、ダストケース１５が集塵室５内に収容された状態では、図８に示すように収縮状態になる。言い換えれば、コイルばね５２は常時ダストケース１５を上方へ持ち上げるように弾力付勢した状態となっている。
【００４２】
このため、図９に示すように、集塵室カバー６を開くと、集塵室カバー６により加えられていた下方への力が解除されて、コイルばね５２による上方への弾力付勢力により、ダストケース１５が上方へ持ち上げられる。このとき、ダストケース１５の上面に被せられた内カバー１８も一緒に持ち上げられる。
なお、コイルばね５２は、集塵室の底面５に配置せず、ダストケース１５の下面に設けてもよい。また、コイルばね５２に代えて、板ばねを用いることもできる。
【００４３】
上述の各実施形態において、集塵室カバー６および内カバー１８は、全て、透明な材料、たとえば透明な樹脂で形成してもよい。
集塵室カバー６および内カバー１８を透明材料で形成した場合、集塵室５内に溜められる塵挨の量が容易に確認でき、集塵状況を外部から視認して、使用性が向上するという利点がある。
【００４４】
この発明は、以上説明した実施形態に限定されるものではなく、請求項記載の範囲内において種々の変更が可能である。
【図面の簡単な説明】
【００４５】
【図１】この発明の一実施形態に係る電気掃除機１の構造を説明するための図解的な縦断面側面図である。
【図２】図１に示す電気掃除機１の集塵カバー６が開いた状態を示す図解的な縦断面側面図である。
【図３】電気掃除機１において、ゴミ袋３０を装着しないで使用する使用状態を示す図解的な縦断面側面図である。
【図４】電気掃除機１において、ダストケース１５を取り外し、ゴミ袋３０だけを装着して使用する使用状態を示す図解的な縦断面側面図である。
【図５】図１で説明した構成において、ダストケース５１およびシールパッキン１９の変形例を表わす図である。
【図６】この発明の他の実施形態に係る電気掃除機６０の構成を説明するための図解的な縦断面図である。
【図７】電気掃除機６０の集塵室カバー６を開けた状態を示す図解的な縦断面側面図である。
【図８】ダストケース１５の取り出し補助手段の他の構成例を示す図である。
【図９】ダストケース１５の取り出し補助手段の他の構成例を示す図である。
【符号の説明】
【００４６】
１、６０    電気掃除機
２    本体ケーシング
４    電動送風機
５    集塵室
６    集塵室カバー
８    吸い込み口
１５    ダストケース
１６、１７    開放面周縁
１８    内カバー
１９、２５    シールパッキン
３０    ゴミ袋
３１    口紙
３２    紙袋
５２    コイルばね
６１    持ち上げ機構
６２    フォーク部
６３    アーム部
６４    長孔
【図１】
2008136554.tif 000003
【図２】
2008136554.tif 000004
【図３】
2008136554.tif 000005
【図４】
2008136554.tif 000006
【図５】
2008136554.tif 000007
【図６】
2008136554.tif 000008
【図７】
2008136554.tif 000009
【図８】
2008136554.tif 000010
【図９】
2008136554.tif 000011